(57)【要約】      （修正有）【課題】保持対象とするネジの材質、頭部の形状等にあまり影響されずに保持効果を発揮し、対応する工具に制約を受けないネジ保持具の提供。【解決手段】合成樹脂製の円環の内面に略放射状に植え込んだ合成樹脂製のブラシにより、対象とするネジ５の軸部分を外部より包囲支持する方式を有し、工具６に取り付けるソケット部分に特徴ある突起を持たせることにより多様な工具に適応した、着脱自在なネジの保持具を実現する。【選択図】図４
2005279802.tif 000002
【特許請求の範囲】
【請求項１】
ネジの安定保持の目的で工具に取り付けて使用するネジの保持具で、合成樹脂製の円環を台とし、この内面に略放射状に植え込んだ合成樹脂製のブラシにより、対象とするネジの軸部分を外周より包囲支持することを特徴とするもの。
【請求項２】
ネジの安定保持の目的で工具に取り付けて使用するネジの保持具で、工具との円筒状接合部分内部の接触部に弾力性を持つ三条の渦巻状突起を持つことを特徴とするもの。
【発明の詳細な説明】
【技術分野】
【０００１】
この発明は、ネジ回しの作業においてネジを工具に安定保持するためにドライバー等の工具に取り付けて使用する、工具に着脱自在な補助器具に関するものである。
【背景技術】
【０００２】
従来、ドライバー等の工具を用いたねじ回し作業において、ネジを工具の先端部に安定保持するための器具として、磁石を用いて磁力で吸着させる方法が一般に良く知られているが、これ以外にネジの頭部を外周より挟む方法によるもの（例えば、特許文献１参照。）や、ネジの頭部に系止爪を引っ掛ける方法によるもの（例えば、特許文献２参照。）がある。
【特許文献１】特開平１１‐３３３７４６号公報
【特許文献２】実開平７‐２０２６４号公報
【発明の開示】
【発明が解決しようとする課題】
【０００３】
この発明は、次のような課題を解決するためになされたものである。
イ．磁石を用いてネジを保持する方式の保持具では、磁石に吸着しない材質のネジを安定保持することができない。
ロ．ネジの頭部を挟んだり、爪状のもので引っ掛けて保持する方式の保持具では、ネジの頭部の形状により対応できるネジの種類に限界があり、止めネジ等には対応できない。
ハ．先端部が左右に張り出したマイナスドライバーや、六角レンチ等の工具にも適応した使用可能な工具に汎用性を持つネジの保持具がない。
【課題を解決するための手段】
【０００４】
上記課題に応えるものとして、合成樹脂製の円環の内面に略放射状に植え込んだ合成樹脂製のブラシにより、対象とするネジの軸部分を外部より包囲支持する方式を有し、工具に取り付けるソケット部分に三条の特徴ある突起を持つことにより、多様な工具に適応し、着脱自在なネジの保持具を実現する。
【発明の効果】
【０００５】
本発明により次のような効果がある。
イ．本発明による保持具は、保持対象とするネジの材質、頭部の形状等にあまり影響されず、一定以上の軸長のある多様なネジに対して保持効果を発揮することができる。
ロ．本発明による保持具はソケット部分の機能により、軸経がほぼ一致する工具であれば、先端部が左右に張り出したマイナスドライバーや、六角軸の工具にも接続使用が可能である。
【発明を実施するための最良の形態】
【０００６】
図１、及び図２、図３に当該ネジ保持具の構造を示す。図１は当該ネジ保持具の中心軸にそった断面図であり、図２及び図３は中心軸と垂直方向の断面図である。
【０００７】
合成樹脂製で線状のブラシ１は円環状の合成樹脂製のブラシ台リング２の内側に略放射状に植え込まれる。ブラシ１はブラシ台リング２に対して垂直ではなく、対象とするネジの回転方向に傾きを持つ。この構造に基づく特性により、ブラシ１中心部の所定位置にネジをセットした場合、ネジは軸部の外周部より包囲支持される。
【０００８】
基台のブラシ台リング固定部３ａと基台の連結部３ｂ及び基台のソケット部３ｃは一体に形成される。これらの素材は透明度のある合成樹脂で、内部が目視できる。
【０００９】
基台のブラシ台リング固定部３ａにはブラシ台リング２の外周の形状に合わせた溝が形成されている。この溝にブラシ台リング２をはめ込むことにより、圧力により基台部と一体に固定される。
【００１０】
ソケットの内層４は弾力性のある合成ゴム等の素材で作られ、基台のソケット部３ｃの内側に接着等により固定される。ソケットの内層４の内部は三条の畝状突起を持ち、断面は図３に示すような略渦巻状をしている。この構造に基づく特性により、工具に着脱自在であると共に、ネジの取り付け作業における工具と当該ネジ保持具の間の滑動性を実現し、丸軸及び六角軸の両方の軸形状の工具及び、先端部が左右に張り出したマイナスドライバー等に適応することができる。
【実施例１】
【００１１】
図４及び図５、図６に実施例の一例を示す。これらの図は当該ネジ保持具をドライバー工具の軸部６の先端部に装着し、取り付け対象のネジ５を保持させた状態である。ソケットの内層４の内部の畝状突起の機能により、当該ネジ保持具は手動によりドライバー工具の軸部６に手動で着脱自在であり、滑動することで位置の調整が可能である。取り付け対象のネジ５は外周部をブラシ１により包囲支持され、ドライバー工具の先端部と協同して作用することにより、取り付け対象のネジ５は所定位置に安定保持される。
【実施例２】
【００１２】
図７及び図８に実施例の一例を示す。これらの図は当該ネジ保持具を用いたネジの取り付け作業工程を示す。図７のように保持されたネジを取り付ける対象物７の所定位置にあて、ドライバー工具を操作してネジを取り付けていくと、当該ネジ保持具はネジを取り付ける対象物７に押され、螺合の進行によりドライバー工具の軸との間で滑動、移動する。ネジの取り付けが終了した状態が図８である。
【実施例３】
【００１３】
図９にブラシ台リング２及びブラシ１の植毛の製造工程に係る実施の一例を示す。円環状のブラシ台リング２の内部に直接ブラシ１を植毛する工程は非常に困難である。そこでブラシ台リングを分割したピース８を作り、ブラシ１を植毛した後、これを複数個組み合わせて円環状に製造する方法が容易で現実的である。組み合わせた後にはそのまま基台のブラシ台リング固定部３ａの溝にはめ込むことにより組み立てが可能である。
【産業上の利用可能性】
【００１４】
本発明によるネジ保持具は各種のドライバー工具等を用いるネジ回し作業においてネジを工具に安定保持するための補助器具として、利用できる可能性がある。
【図面の簡単な説明】
【００１５】
【図１】ネジ保持具の中心軸にそった断面図
【図２】Ａ‐Ａの位置による中心軸と垂直方向の断面図
【図３】Ｂ‐Ｂの位置による中心軸と垂直方向の断面図
【図４】ネジ保持具を用いドライバー工具にネジを保持した状態の断面図
【図５】Ｃ‐Ｃの位置による中心軸と垂直方向の断面図
【図６】Ｄ‐Ｄの位置による中心軸と垂直方向の断面図
【図７】保持したネジを対象に取り付けようとする状態の断面図
【図８】保持したネジを対象に取り付けた状態の断面図
【図９】実施例３に示すブラシ台リングを分割製造する場合の側面図
【符号の説明】
【００１６】
１    ブラシ
２    ブラシ台リング
３ａ  基台のブラシ台リング固定部
３ｂ  基台の連結部
３ｃ  基台のソケット部
４    ソケットの内層
５    取り付け対象のネジ
６    ドライバー工具の軸
７    ネジを取り付ける対象物
８    ブラシ台リングを分割したピース
【図１】
2005279802.tif 000003
【図２】
2005279802.tif 000004
【図３】
2005279802.tif 000005
【図４】
2005279802.tif 000006
【図５】
2005279802.tif 000007
【図６】
2005279802.tif 000008
【図７】
2005279802.tif 000009
【図８】
2005279802.tif 000010
【図９】
2005279802.tif 000011